(57)【要約】【課題】  重金属元素の植物体内への蓄積量が大幅に減少するとともに、植物体内での鉄の含有率が高い植物が得られ植物の栽培方法を提供する。【解決手段】  土壌２中に水６と零価の鉄３を共存させた状態で、その土壌２において植物７を栽培することを特徴とする。【選択図】図５【特許請求の範囲】
【請求項１】
土壌中に水と零価の鉄を共存させた状態で、その土壌によって植物を栽培することを特徴とする植物の栽培方法。
【請求項２】
請求項１記載の植物の栽培方法において、前記土壌により水田が構成されていることを特徴とする植物の栽培方法。
【請求項３】
請求項１記載の植物の栽培方法において、前記植物が水田栽培または湛水栽培される植物であることを特徴とする植物の栽培方法。
【請求項４】
請求項１ないし３のいずれか１項記載の植物の栽培方法において、前記土壌が栽培用容器内に装填されて、その栽培用容器内で前記植物が栽培されることを特徴とする植物の栽培方法。
【請求項５】
請求項１ないし４のいずれか１項記載の植物の栽培方法において、前記零価の鉄が多孔質体に担持されていることを特徴とする植物の栽培方法。
【請求項６】
請求項１ないし５のいずれか１項記載の植物の栽培方法において、前記零価の鉄の表面が水を吸収・保持する親水性材料でコートされていることを特徴とする植物の栽培方法。
【請求項７】
請求項１ないし６のいずれか１項記載の植物の栽培方法において、前記零価の鉄が栽培対象面積１ヘクタール当り１ｋｇ〜１００ｋｇの割合で存在していることを特徴とする植物の栽培方法。
【請求項８】
請求項１ないし７のいずれか１項記載の植物の栽培方法において、前記零価の鉄の粒径が５００μｍ以下であることを特徴とする植物の栽培方法。
【請求項９】
請求項１ないし８のいずれか１項記載の植物の栽培方法において、前記零価の鉄を土壌に添加した後にその土壌に水を供給することを特徴とする植物の栽培方法。
【請求項１０】
請求項１ないし９のいずれか１項記載の植物の栽培方法において、前記土壌と水と零価の鉄を不透水性の袋または容器に入れた状態で一定期間放置した後、その土壌と水と零価の鉄の混合物を所定の場所に移して植物を植え付けることを特徴とする植物の栽培方法。
【請求項１１】
栽培しようとする種子に零価の鉄の微粉末を付着させて、その種子を土壌中に播種して、その土壌中に常に水が存在する状態で前記種子を発芽・育成することを特徴とする植物の栽培方法。
【請求項１２】
請求項１１記載の植物の栽培方法において、前記種子が種籾であることを特徴とする植物の栽培方法。
【請求項１３】
請求項１１または１２記載の植物の栽培方法において、前記零価の鉄の微粉末が水を吸収・保持する親水性のバインダーによって前記種子に付着されていることを特徴とする植物の栽培方法。
【請求項１４】
栽培しようとする苗の根に零価の鉄の微粉末を付着させて、その苗を土壌に植え付けて、その土壌中に常に水が存在する状態で前記苗を育成することを特徴とする植物の栽培方法。
【請求項１５】
請求項１４記載の植物の栽培方法において、前記苗が稲であることを特徴とする植物の栽培方法。
【請求項１６】
請求項１４または１５記載の植物の栽培方法において、前記零価の鉄の微粉末が水を吸収・保持する親水性のバインダーによって前記苗の根に付着されていることを特徴とする植物の栽培方法。
【請求項１７】
請求項１記載の植物の栽培方法において、前記植物の根近傍の土壌に、前記零価の鉄の微粉末を含むステックが差し込まれることを特徴とする植物の栽培方法。
【請求項１８】
ポットに零価の鉄の微粉末を担持させて、そのポット内に土壌を入れ、栽培しようとする種籾をその土壌中に播種して発芽・育成させ、その後育成した稲を前記ポットごと田圃に植え込むことを特徴とする植物の栽培方法。
【発明の詳細な説明】
【技術分野】
【０００１】
本発明は、例えば稲などの農作物を始めとする各種植物の栽培方法に係り、特にカドミウムなどの重金属元素の植物体内への蓄積量が大幅に軽減できるとともに、植物体内での鉄の含有率が高まる植物の栽培方法に関するものである。
【背景技術】
【０００２】
我が国には無数の鉱山が存在しており、その鉱山の比較的近い所に水田地帯がある例も数多い。そのため鉱山から流出したカドミウムが水田の土壌中に貯留し、その水田で育成される稲が育成途中にカドミウムを吸収して植物体内に蓄積され、その稲から収穫される玄米の中にもカドミウムが含有されており、その米または米製品を口にする可能性がある。【０００３】
カドミウムの人体への摂取原因としては、農作物からの摂取が上位を占めており、中でも米または米製品からの摂取が最も多く、人体への蓄積の危険性が問題となっている。【０００４】
このような問題を解決するために、植物を利用したファイトレメディエーションという技術がある。この技術は、カドミウムで汚染された水田にカドミウムを吸収・蓄積する能力に優れた例えばケナフなどの植物を植えて所定期間育生させ、その間に植物体内にカドミウムを吸収・蓄積させて、その植物を収穫することにより、水田中のカドミウム含有量を減少させる技術である。【０００５】
この植物を利用したファイトレメディエーション技術による土壌の浄化方法に関しては、例えば下記のような特許文献１を挙げることができる。また、ファイトレメディエーション技術において重金属の吸収性の高い植物を用いることや、植物への重金属の吸収を促進するために、例えば下記特許文献２〜４に記載されているような提案もある。
【特許文献１】特開２００４−２４３３１３号公報
【特許文献２】特開２００２−３３１２８１号公報
【特許文献３】特開２００２−３３１２８２号公報
【特許文献４】特開２００２−３３６８３７号公報
【発明の開示】
【発明が解決しようとする課題】
【０００６】
ところがこの植物を利用したファイトレメディエーション技術では、
（１）浄化しようとする水田などの土壌に例えばケナフ、柳、ポプラなどの重金属を吸収・蓄積し易い植物を所定の間隔で植付け、
（２）必要があれば前記植物の重金属吸収性を促進する薬剤を水田などに散布、溶解させ、
（３）前記植物を栽培しながら、水田中のカドミウムを植物体内に吸収して蓄積し、
（４）所定の期間その植物を栽培すると、それを収穫して当該植物を例えば焼却などの手段で処理して、
（５）カドミウム含有率が少なくなった水田で田植えを行なって、稲を育成することになる。【０００７】
このように従来の方法では、土壌の浄化を開始して所望の植物を育成するまでには多くのプロセスと長い期間を要する。【０００８】
また、重金属を吸収する植物の植付け間隔が広いと重金属の吸収・除去にムラができ、土壌全体としての浄化率は低いものとなる。さらに重金属を吸収、蓄積した植物を収穫して焼却などで処理すると、焼却灰中に重金属が残り、２次汚染を引き起こすことになるなどの問題を有している。【０００９】
本発明の目的はこのような従来技術の欠点を解消し、簡単な方法で、さらに２次汚染などの心配がなく、重金属元素の植物体内への蓄積量が大幅に減少するとともに、植物体内での鉄の含有率が高い植物が得られる植物の栽培方法を提供することにある。
【課題を解決するための手段】
【００１０】
前記目的を達成するために、本発明の第１の手段は、土壌中に水と零価の鉄を共存させた状態で、その土壌において例えば稲などの植物を栽培することを特徴とするものである。【００１１】
本発明の第２の手段は前記第１の手段において、前記土壌により水田が構成されていることを特徴とするものである。【００１２】
本発明の第３の手段は前記第２の手段において、前記植物が例えば稲などの水田栽培または湛水栽培される植物であることを特徴とするものである。【００１３】
本発明の第４の手段は前記第１ないし第３の手段において、前記土壌が栽培用容器内に装填されて、その栽培用容器内で前記植物が栽培されることを特徴とするものである。【００１４】
本発明の第５の手段は前記第１ないし第４の手段において、前記零価の鉄が例えば多孔質セラミック粒子などの多孔質体に担持されていることを特徴とするものである。【００１５】
本発明の第６の手段は前記第１ないし第５の手段において、前記零価の鉄の表面が例えばコーンスターチなどの水を吸収・保持する親水性材料でコートされていることを特徴とするものである。【００１６】
本発明の第７の手段は前記第１ないし第６の手段において、前記零価の鉄が栽培対象面積１ヘクタール当り１ｋｇ〜１００ｋｇの割合で存在していることを特徴とするものである。【００１７】
本発明の第８の手段は前記第１ないし第７の手段において、前記零価の鉄の粒径が５００μｍ以下であることを特徴とするものである。【００１８】
本発明の第９の手段は前記第１ないし第８の手段において、前記零価の鉄を土壌に添加した後にその土壌に水を十分に供給（散水あるいは冠水）することを特徴とするものである。【００１９】
本発明の第１０の手段は前記第１ないし第９の手段において、前記土壌と水と零価の鉄を例えば合成樹脂などからなる不透水性の袋または容器に入れた状態で一定期間放置した後、その土壌と水と零価の鉄の混合物を所定の場所に移して植物を植え付けることを特徴とするものである。【００２０】
本発明の第１１の手段は、栽培しようとする種子に零価の鉄の微粉末を付着させて、その種子を土壌中に播種して、その土壌中に常に水が存在する状態で前記種子を発芽・育成することを特徴とするものである。【００２１】
本発明の第１２の手段は前記第１１の手段において、前記種子が種籾であることを特徴とするものである。【００２２】
本発明の第１３の手段は前記第１１または第１２の手段において、前記零価の鉄の微粉末が例えばコーンスターチなどの水を吸収・保持する親水性のバインダーによって前記種子に付着されていることを特徴とするものである。【００２３】
本発明の第１４の手段は、栽培しようとする苗の根に零価の鉄の微粉末を付着させて、その苗を土壌に植え付けて、その土壌中に常に水が存在する状態で前記苗を育成することを特徴とするものである。【００２４】
本発明の第１５の手段は前記第１４の手段において、前記苗が稲であることを特徴とするものである。【００２５】
本発明の第１６の手段は前記第１４または第１５の手段において、前記零価の鉄の微粉末が水を吸収・保持する親水性のバインダーによって前記苗の根に付着されていることを特徴とするものである。【００２６】
本発明の第１７の手段は前記第１の手段において、前記植物の根近傍の土壌に、前記零価の鉄の微粉末を含むステックが差し込まれることを特徴とするものである。【００２７】
本発明の第１８の手段は、ポットに零価の鉄の微粉末を担持させて、そのポット内に土壌を入れ、栽培しようとする種籾をその土壌中に播種して発芽・育成させ、その後育成した稲を前記ポットごと田圃に植え込むことを特徴とするものである。
【発明の効果】
【００２８】
本発明は前述のような構成になっており、重金属元素の植物体内への蓄積量が大幅に減少するとともに、植物体内での鉄の含有率が高い植物が得られる栽培方法を提供することができる。
【発明を実施するための最良の形態】
【００２９】
本発明者らは、下記のような各種土壌を作り、稲の水田栽培試験を行なった。  
〔水田栽培試験〕
土壌の種類
土壌Ａ：無添加の非汚染土壌
土壌Ｂ：非汚染土壌９５ｇに対してゼオライトを５ｇ添加、混合した土壌
土壌Ｃ：非汚染土壌９５ｇに対して零価鉄を５ｇ添加、混合した土壌
土壌Ｄ：カドミウムで汚染された土壌
土壌Ｅ：カドミウム汚染土壌９５ｇに対してゼオライトを５ｇ添加、混合した土壌
土壌Ｆ：カドミウム汚染土壌９５ｇに対して零価鉄を５ｇ添加した、混合土壌
カドミウム含有率：土壌１ｋｇに対してカドミウム５０ｍｇ  ０．１Ｎ塩酸抽出
栽培床：前記土壌Ａ〜Ｆを用いて各栽培床を構成し、栽培床全体を冠水して水田を作成
栽培農作物：稲（Oryza  sativa  L．Cv．Hoshinoyume）
栽培条件：温室で発芽させた後、稲を前記栽培床に移植して人工気象装置（１６時間明期、８時間暗期、室温２３℃維持）により栽培
栽培株数：各土壌Ａ〜Ｆとも一ポット当り一株栽培
栽培期間：移植して２０日間
サンプリング部位：地上部のみをサンプリング
無機分析：誘導結合プラズマ発光分析（ＩＣＰＥＳ）でカドミウム、鉄濃度を測定
土壌分析：０．１Ｎ塩酸抽出法を用い、土壌中のカドミウム濃度を測定
図１は、前記土壌Ａ〜Ｆを用いて各栽培床で生育した稲の地上部の乾物重を測定した結果を比較して示す図である。図中の棒線の高さは測定値の平均値を示し、棒線の頭部に示した線分は測定値のバラツキ範囲を示している。これは図１〜図４において共通のことである。【００３０】
この図から明らかなように、汚染されていない土壌Ａ〜Ｃを用いて稲を栽培した場合、稲の乾物重が土壌Ｂ（ゼオライト添加）の場合は土壌Ａ（無添加）の場合よりも増加しているが、土壌Ｃ（零価鉄添加）の場合は反対に減少している。ところが、カドミウム汚染土壌で同じ栽培実験を行なったところ、カドミウムで汚染された土壌Ｄ（無添加）は汚染されていない土壌Ａ（無添加）に比べて稲の乾物重は増加しているが、それ以上に土壌Ｆ（零価鉄添加）で栽培したものは重量が増加している。この推定理由については、後で説明する。【００３１】
図２は、前記各栽培床で生育した稲の地上部のカドミウム含有率を測定した結果を比較して示す図である。この図から明らかなように、カドミウムで汚染された土壌Ｄ（無添加）を用いて栽培した稲は、その生育中に根からカドミウムが多量に吸収、蓄積され、その結果カドミウム含有率が極端に高い。これに比べて土壌Ｆ（零価鉄添加）で稲を栽培することにより、稲体内のカドミウム含有率を大幅に低減することができ（土壌Ｄの約１４分の１）、汚染されていない土壌を用いて稲を栽培したものとほぼ同程度の低い値を示している。【００３２】
図３は、前記各栽培床で生育した稲の地上部の鉄含有率を測定した結果を比較して示す図である。この図から明らかなように、カドミウムで汚染された土壌Ｆ（零価鉄添加）で栽培された稲は、他の土壌Ａ〜Ｅよりも高い鉄含有率を有しており、無添加の汚染されていな土壌Ａに比べると鉄含有率は２〜３倍と高い。従って土壌Ｆ（零価鉄添加）で栽培された稲からは、カドミウムで汚染された土壌にも係わらずカドミウムを殆ど含まないで、かつ鉄含有率の高い玄米を収穫することができる。【００３３】
図１で示した土壌Ｆ（零価鉄添加）で栽培された稲の乾物量が他のものに比較して多いのは、この鉄含有率が極端に多いことに起因しているものと推測される。【００３４】
図４は、前記各栽培床で稲を栽培した後の土壌中の０．１Ｎ塩酸可溶性カドミウム含有率を測定した結果を比較して示す図である。この図から明らかなように、カドミウムで汚染された無添加の土壌Ｄは稲を栽培した後も土壌中にかなりの量のカドミウムが検出されているが、土壌Ｆ（零価鉄添加）で稲を栽培した後の土壌は低いカドミウム含有率を示している。【００３５】
ゼオライトに関しては、今までに土壌改質剤としての機能も認められており、ＣＥＣ（陽イオン交換容量）が高く、陽イオンを吸着する性質を有していることから、カドミウムがゼオライトに吸着された結果、稲地上部でのカドミウム含有率が低下したものと考えられる（図２参照）。【００３６】
零価鉄に関しては、零価の鉄を土壌に添加、混合することにより土壌中のカドミウムの形態が変化し、カドミウムが不溶化したと推測される。具体的には、零価の鉄が土壌中の硫酸イオンを還元してイオウイオンを生成し、それとカドミウムイオンが結合して硫化カドミウムとなり、植物へのカドミウムの吸収が抑制されたか、あるいは零価の鉄イオンが土壌中で酸化され、２価の鉄イオンとなり、そのエネルギーで２価のカドミウムイオンが植物に吸収されない０価に還元されて、植物へのカドミウムの吸収が抑制されたと推測される（図２参照）。【００３７】
そして土壌中の鉄イオン濃度が上昇し、その鉄イオンの一部が植物に吸収、蓄積されて、鉄の含有率が高まったものと推測される（図３参照）。鉄分は一般にサプリメントなどにも使用されているように人体に必須のミネラル成分であり、鉄分が不足すると貧血などの要因となり、特に不足しがちな女性などには鉄の含有率の高い米は健康増進に有効である。【００３８】
前述の実験例では土壌中に零価鉄を単独で添加したが、土壌中に零価鉄とゼオライトの両方を添加することも可能である。【００３９】
本発明において添加される零価鉄の粒径は、数ｎｍから５００μｍが適当である。零価鉄の粒径が５００μｍを超すと鉄粒子の反応表面積が十分に得られず、零価鉄を添加した効果が少ない。そのために零価鉄の粒径は、５００μｍ以下に規制する必要がある。【００４０】
鉄粉としては各種形態のものが使用可能であり、特に海綿状の鉄粉は表面に微細な凹凸や微孔が無数に存在して、高い比表面積を有し、反応性に富んでいるため賞用できる。【００４１】
粉末状の零価鉄（鉄粉）を単体として土壌に添加することもできるが、例えばシリカゲル、スラグ灰、各種燃焼灰、木炭、竹炭、活性炭、パーライト、バーミキュライト、セラミック燒結体、各種天然繊維、籾殻などの無機多孔質体あるいは有機多孔質体に零価鉄を担持したものを使用することもできる。【００４２】
また、粉末状の零価鉄の表面を例えばポリエチレングリコールの架橋物、コーンスターチ、ゲル化したポリビニールアルコール、メチルセルローズ、カルボキシメチルセルローズなどの水を吸収・保持する性質を有する親水性材料（親水性バインダー）でコートしたもの、あるいは前記親水性材料との混合物を使用することもできる。【００４３】
さらに粉末状の零価鉄を、各種の肥料、土壌調整剤あるいは土壌安定剤と混合して使用することも可能である。【００４４】
植物を栽培する面積１ヘクタール（ｈａ）当り、零価鉄の添加量は１ｋｇ〜１００ｋｇの範囲が適当である。零価鉄の添加量が１ｋｇ未満だと零価鉄の添加効果が十分に発揮されず、一方、零価鉄の添加量が１００ｋｇを超えて多量に添加してもそれ以上の効果は得られず、経済的に無駄である。このような理由から零価鉄の添加量は、１ヘクタール（ｈａ）当り１ｋｇ〜１００ｋｇの範囲が適当である。【００４５】
零価鉄の添加効果は前述のような理由から水分が存在することが必要な条件であり、この点から周囲に十分な水が常に存在する例えば稲、蓮、山葵、さといも、芹などの水田栽培または湛水栽培できる植物の栽培に特に本発明は好適である。【００４６】
実際に水田や畑などで零価鉄の粉末を施用する場合、土壌の上に零価鉄の粉末を散布して土壌を耕すことにより、土壌と零価鉄の粉末とを混合するか、あるいは土壌の上に零価鉄の粉末を単に散布して、その後水を十分に散布、供給して土壌を冠水させるとよい。なお、降雨、降雪、残雪などの自然条件によって土壌に十分の水が供給される場合は、零価鉄の粉末を土壌に供給した後の土壌への給水は必ずしも必要ではない。【００４７】
前記実施形態では零価鉄を汚染土壌中に添加した例を示したが、零価鉄の微粉末を栽培する植物の種子（例えば種籾）に予め付着（コーティングを含む）させ、その種子を播種して植物を栽培することもできる。【００４８】
種子を土壌に直接播種する代わりに、１枚の親水性不織布の上に種子を播き、その上に他の親水性不織布を重ねて、種子をサンドイッチ状に担持した播種用シートのロールを用いて、この播種用シートを水田上に展開して敷設する場合、この播種用シートの面に零価鉄の微粉末を散布や塗布により付着させることもできる。【００４９】
また栽培する植物（例えば稲）の根に零価鉄の微粉末を予め付着（コーティングを含む）させ、その苗を用いて栽培することもできる。このように零価鉄の微粉末を植物の種子あるいは根に付着する場合、例えばポリエチレングリコールの架橋物、コーンスターチ、ポリビニールアルコール、メチルセルローズ、カルボキシメチルセルローズなどの親水性材料からなるバインダーが用いられる。【００５０】
前記実施形態では水田に稲を植えて栽培する場合について説明したが、栽培用容器を用いて植物を栽培する場合にも適用可能である。図５はその一例を示す図で、栽培箱、育苗箱、移植用ポット、あるいは栽培現地にて広い窪みを形成して、その窪みの内面に沿って合成樹脂シートを敷設して容器状に形成したものなどの栽培用容器１に、カドミウムで汚染された可能性の有る土壌２と零価鉄の微粉末３を所定の割合で混合した混合物を入れて栽培床４を形成する。【００５１】
この栽培床４に給水管５から水６を供給して冠水させ、この状態で所定期間（例えば数週間から数ヶ月）放置する。この間に前述したように土壌２中のカドミウムの形態が変化する。この放置期間中に冠水した栽培床４の上に合成樹脂シートを敷設して、空気との接触を遮断することもできる。【００５２】
その後、栽培床４に稲などの植物７を植えて、所定の期間育成する。植物７の育成途中において、必要に応じて零価鉄の微粉末３あるいは（ならびに）水６を土壌２に追加することもできる。【００５３】
栽培現地に零価鉄の粉末を施用し、給水して所定期間放置した後、その栽培現地に植物を植え付けることもできるが、次のような方法を採用することもできる。すなわち、零価鉄の粉末を散布した栽培現地の土壌を掘り起こして零価鉄の粉末と土壌を混合して、あるいは栽培現地の土壌を掘り起こして零価鉄の粉末と混合して、この混合土壌を不透水性の袋あるいは容器に入れ、それに水を供給して混合土壌を冠水させる。水分の蒸発ならびに空気との接触を避けるため、袋あるいは容器は閉じた方が望ましい。【００５４】
この状態で一定期間（例えば数週間から数ヶ月）保存した後、当該混合土壌を元の栽培現地に戻して植物を植え付けることもできる。【００５５】
前記実施形態では土壌と零価鉄の粉末を混合したが、混合せずに土壌の深さ方向の途中の位置に零価鉄の粉末層を形成し、その粉末層の上に更に土壌層を形成した層構造のものでも構わない。また、土壌と零価鉄の粉末との混合層と前記粉末層とを組み合わせることも可能である。【００５６】
前記実施形態では土壌に零価鉄の粉末を添加したが、図６は零価鉄の粉末の他の使用例を示す図である。この例では同図に示されているように、例えば天然繊維や合成繊維製の不織布などからなる２枚の透水性シート８，８の間に、零価鉄の粉末３と、砂利、土、砂、ケイ砂などの充填材９の混合物層を設けて透水性のフィルター１０を構成する。なお、前記零価鉄の粉末３は、充填材９の表面に付着（コーティングを含む）させても構わない。【００５７】
このフィルター１０を例えば水田の水路などに設置して、このフィルター１０を通して水田に水を供給することにより、水中のカドミウムをフィルター１０で捕集することができる。【００５８】
前記実施形態では土壌に零価鉄の粉末を混合したが、零価鉄を含むステックを土壌の苗の根の近傍に差し込むことも可能である。このステックには零価鉄の粉末単独、あるいはこれに各種肥料や植物活性剤などを添加したものを担持させることができる。【００５９】
ステックは例えば紙製或いはポリビニールアルコールなどの水溶性合成樹脂からなり、零価鉄の粉末などをステックに含浸させたり、袋詰めしたり、印刷技術などを用いて付着させたり、あるいはロール状に巻き込んでステックを構成する。ステックの太さは５ｍｍ〜１０ｍｍが適当であり、ステックの長さは任意であるが、土壌への差し込み量は１０ｃｍ〜２０ｃｍが適当である。土壌へのステックの差し込みは、苗を植えたとき（田植え）或いはその後に行なわれる。【００６０】
この実施形態によれば、苗の根の近傍に零価鉄ならびに各種肥料や植物活性剤などを確実にかつスポット的に供給することが可能で、総投入量とコストの削減を図ることができる。【００６１】
他の実施形態として、紙或いはポリビニールアルコールなどの水溶性合成樹脂からなる筒状ポットの内面或いは（並びに）外面に、零価鉄の粉末を例えば印刷技術或いは水溶性テープなどを用いて担持する。【００６２】
そしてこのポットに適量の土壌と種籾を入れて発芽させ、一定期間育成した後に田植機を用いてポットごと田圃に植え込むこともできる。【００６３】
この実施形態ではポットに土壌を入れたが、その代わりにセラミック粒や高分子素材など発芽に適した他の素材を使用することも可能である。前記実施形態では水溶性のポットを使用したが、特に大型の場合必ずしも水溶性である必要はない。前記実施形態ではポットを使用したが、種籾を含んだ土壌をペレット状或いは団子状など所定の形状に成形し、その成形体の外面に零価鉄の粉末を担持させることも可能である。【００６４】
また本発明はハウス栽培にも適用可能である。【００６５】
前記実施形態ではカドミウムで汚染された場合について説明したが、本発明はこれに限定されるものではなく、六価クロム、鉛、水銀などの他の重金属で汚染された場合にも適用可能である。
【図面の簡単な説明】
【００６６】
【図１】各種土壌で栽培した稲の地上部の乾物重を比較して示す特性図である。
【図２】各種土壌で栽培した稲の地上部のカドミウム含有率を比較して示す特性図である。
【図３】各種土壌で栽培した稲の地上部の鉄含有率を比較して示す特性図である。
【図４】各種土壌で稲を栽培した後の土壌中のカドミウム含有率を比較して示す特性図である。
【図５】本発明の実施形態に係る栽培用容器で植物を育成する状態を示す断面図である。
【図６】本発明の実施形態に係るフィルターの拡大断面図である。
【符号の説明】
【００６７】
１：栽培用容器、２：土壌、３：零価鉄微粉末、４：栽培床、５：給水管、６：水、７
：植物、８：透水性シート、９：充填材、１０：フィルター。
【図１】
2007007676.tif 000002
【図２】
2007007676.tif 000003
【図３】
2007007676.tif 000004
【図４】
2007007676.tif 000005
【図５】
2007007676.tif 000006
【図６】
2007007676.tif 000007
【国際調査報告】
2007007676.tif 000008
2007007676.tif 000009
2007007676.tif 000010
2007007676.tif 000011